(57)【要約】  端末１０１の第１ユーザによって電話受信機１０５，１０６の第２ユーザに少なくとも送信された質問に対する応答を収集する方法であって、サーバ１０３はネットワーク１００を介し前記端末１０１に接続され、前記サーバ１０３は電話ネットワーク１０４を介し前記電話受信機１０５，１０６に接続され、前記質問は電話呼の形式により前記電話受信機１０５，１０６に到達するメッセージのテキストによって形成され、当該方法は、前記サーバ１０３において実現される、（ａ）前記端末１０１のユーザによる前記メッセージのテキストの入力又は選択を受信するステップ２０１と、（ｂ）前記メッセージの受信者の電話受信機１０５，１０６の入力又は選択を受信するステップ２０１と、（ｃ）前記電話受信機１０５，１０６上の前記メッセージの表示のためステップ（ｂ）において特定された前記電話受信機１０５，１０６に各呼の信号化メッセージのフィールドにおいて送信される前記メッセージを含む１以上の電話呼を送信するステップ２０３と、（ｄ）ステップ（ｃ）において送信される前記呼に応答して、前記電話受信機１０５，１０６から信号化メッセージを受信するステップ２０６，２０７と、（ｅ）前記端末１０１のユーザに提示２０９される前記メッセージに対する応答を生成するため、ステップ（ｄ）において受信された前記信号化メッセージを解釈するステップ２０８とを有する方法。
2012530310.tif 000002
【特許請求の範囲】
【請求項１】
端末の第１ユーザによって電話受信機の第２ユーザに少なくとも送信された質問に対する応答を収集する方法であって、
サーバはネットワークを介し前記端末に接続され、前記サーバは電話ネットワークを介し前記電話受信機に接続され、前記質問は電話呼の形式により前記電話受信機に到達するメッセージのテキストによって形成され、
当該方法は、前記サーバにおいて実現される、
（ａ）前記端末のユーザによる前記メッセージのテキストの入力又は選択を受信するステップと、
（ｂ）前記メッセージの受信者の電話受信機の入力又は選択を受信するステップと、
（ｃ）前記電話受信機上の前記メッセージの表示のためステップ（ｂ）において特定された前記電話受信機に各呼の信号化メッセージのフィールドにおいて送信される前記メッセージを含む１以上の電話呼を送信するステップと、
（ｄ）ステップ（ｃ）において送信される前記呼に応答して、前記電話受信機から信号化メッセージを受信するステップと、
（ｅ）前記端末のユーザに提示される前記メッセージに対する応答を生成するため、ステップ（ｄ）において受信された前記信号化メッセージを解釈するステップと、
を有する方法。
【請求項２】
前記メッセージが送信される信号化メッセージと前記呼に応答してステップ（ｄ）において受信される信号化メッセージとは、前記電話ネットワークにより使用される信号化プロトコルに従って規定される、請求項１乃至３何れか一項記載の方法。
【請求項３】
前記メッセージが送信される信号化方法は、前記サーバから前記受信機への電話呼設定に対応する、請求項２記載の方法。
【請求項４】
前記メッセージが送信される信号化メッセージはまた、前記第２ユーザによる質問に適用する類型の応答を有する、請求項１乃至３何れか一項記載の方法。
【請求項５】
前記受信される信号化メッセージは、前記呼の受け入れ、前記呼の拒絶、前記呼の転送及び未応答のセットに属する、請求項１乃至４何れか一項記載の方法。
【請求項６】
少なくとも２つの電話受信機がステップ（ｂ）において特定されると、ステップ（ｅ）において解釈される応答は、前記サーバのウェブページに提示することによって、ＳＭＳ（Ｓｈｏｒｔ  Ｍｅｓｓａｇｅ  Ｓｅｒｖｉｃｅ）メッセージによる送信によって、電子メッセージによる送信によって、又は音声メッセージによる送信によって、前記端末のユーザに送信されるレポートに合成される、請求項１乃至５何れか一項記載の方法。
【請求項７】
少なくとも２つの電話受信機がステップ（ｂ）において特定されると、ステップ（ｃ）において送信される呼は同時に送信される、請求項１乃至６何れか一項記載の方法。
【請求項８】
前記ネットワークは、ＩＰタイプのものである、請求項１乃至７何れか一項記載の方法。
【発明の詳細な説明】
【技術分野】
【０００１】
本発明は、通信ネットワークの領域に関する。より詳細には、本発明は、少なくとも部分的に電話ネットワークを介し搬送される、テキスト形式で形成される質問に対する応答を収集する方法と、さらにより具体的には当該電話ネットワークにおける呼設定中に質問が送信される方法に関する。
【背景技術】
【０００２】
インターネットネットワークの利用が複数の利用のためユーザ間に今日大変広範になる場合、電話通信ネットワークは、特に通信において即時性が求められるケースにおいて、主要な通信手段を維持している。実際、電話呼は、通信相手に到達し（又はいない）、即時的な応答が通信中に取得されることを可能にすることを保障する。
【０００３】
さらに、ユーザグループ（友人、家族、仕事関係など）は、社会的ネットワークの一部になることによって、又はより簡単には電子メール（又はｅ−ｍａｉｌ）を交換することによって、容易に通信することをますます所望する。
【０００４】
ここでは、ユーザがユーザグループに対するシンプルな質問に大変迅速に対処し、複数のユーザからこれらの質問に対するほとんど即時的な応答を収集することを可能にする機構が現在は存在しない。
【発明の概要】
【０００５】
本発明の１つの目的は、電話通信ネットワークを利用して１以上の電話受信機に質問を有するテキストメッセージを送信する機構を提案することであり、当該テキストメッセージは、電話呼設定などの電話ネットワークの信号化メッセージを介し送信される。これを実行するため、サーバなどにあって、インターネットネットワークを介しユーザにアクセス可能なアプリケーションが、リクエストの送信機が送信対象のテキストと共に、テキストメッセージの受信者ユーザを規定することを可能にする（典型的には、電話ネットワーク上の各自の電話番号によって規定されるか、又はコンタクトリスト又はディレクトリから選択される）。
【０００６】
その後、サーバは、特定の信号化メッセージのフィールド（発信ユーザの名前を表示するため通常設けられるフィールドなど）にテキストメッセージ（特に調査や会議の合意などのための質問を有する）を含む異なる呼をメッセージ受信ユーザにほぼ同時に生成する。受信ユーザが呼を受信すると、テキストメッセージが電話受信機の画面に表示され（典型的には、装置の小さなスクリーン上に）、電話上での呼の受信ユーザのアクション又は未アクションが、呼の送信機（サーバ）に送信される信号化メッセージに挿入可能な応答を生成するのに寄与する。この受信した信号化メッセージ（ＤＴＭＦ（Ｄｕａｌ−Ｔｏｎｅ  Ｍｕｌｔｉ−Ｆｒｅｑｕｅｎｃｙ）などにより符号化された特定キーの押下、“呼受け入れ”、“呼拒絶”、“未応答”など）は、サーバにより送信された初期的な呼により送信されるテキストメッセージに対する応答として解釈される。当然ながら、呼を受信した受信機は、電話により実行したアクションがテキストメッセージに応答するものと解釈される方法を知っている必要があり、例えば、“呼の受け入れ”は、質問に応答して“Ｙｅｓ”を示し、又は“受信メッセージ”は、会議場所を与えるメッセージに応答する。
【０００７】
ユーザを支援するため、サーバにより送信された初期的な呼はまた、質問に対する類型の応答を有することが可能である。この類型は、電話受信機に送信され、それのスクリーン上に表示される。この類型は、当該応答を示すためオペレータにより実行されるアクションと応答との間の対応関係を特定する。例えば、“Ｐｒｅｓｓ  ｋｅｙ  １”→“Ｙｅｓ”、“Ｐｒｅｓｓ  ｋｅｙ  ２”→“Ｎｏ”、“ａｂｓｅｂｃｅ  ｏｆ  ａｃｔｉｏｎ”→“Ｎｏ”などである。
【０００８】
その後、サーバは、応答を要約したレポートを生成するため、テキストメッセージの受信ユーザから受信した異なる応答を解析し、当該レポートを初期的な調査の送信機に通知することが可能である。このレポートは、サーバのウェブページ上に表示可能であるか、又は電子メール（ｅ−ｍａｉｌ）やＳＭＳ（Ｓｈｏｒｔ  Ｍｅｓｓａｇｅ  Ｓｅｒｖｉｃｅ）を介し、予め記録された音声メッセージによって、又は音声合成により生成され、第１テキストメッセージの受信ユーザに第２電話呼によりサーバによって送信される音声メッセージによって、すべてのユーザに送信可能である。
【０００９】
提案される機構の効果は、非同期的に機能する電子メールやＳＭＳタイプアプリケーションと対照的に（ユーザが、メッセージの受信後の所望の時点で応答することが可能であるか、又はまったく応答しなくてもよい）、同期的に機能する電話ネットワークの利用により（呼を受信したユーザは即座に応答するか、呼を拒絶しなければならない）、すべてのユーザから即座の応答を受信することである。他の効果は、リクエストの送信機が自らのテキストメッセージが異なるユーザに即座に送信されることを確信することである。調査の送信機はまた、このアプリケーションのため、何れのユーザが利用可能であるか、又は到達可能であるか（電話呼に応答した場合）、何れのユーザがそうでないか（特にアクションがない場合）を知っている。
【００１０】
このため、本発明は、端末の第１ユーザによって電話受信機の第２ユーザに少なくとも送信された質問に対する応答を収集する方法であって、サーバはネットワークを介し前記端末に接続され、前記サーバは電話ネットワークを介し前記電話受信機に接続され、前記質問は電話呼の形式により前記電話受信機に到達するメッセージのテキストによって形成される方法に関する。
【００１１】
本発明によると、（ａ）前記端末のユーザによる前記メッセージのテキストの入力又は選択を受信するステップと、（ｂ）前記メッセージの受信者の電話受信機の入力又は選択を受信するステップと、（ｃ）前記電話受信機上の前記メッセージの表示のためステップ（ｂ）において特定された前記電話受信機に各呼の信号化メッセージのフィールドにおいて送信される前記メッセージを含む１以上の電話呼を送信するステップと、（ｄ）ステップ（ｃ）において送信される前記呼に応答して、前記電話受信機から信号化メッセージを受信するステップと、（ｅ）前記端末のユーザに提示される前記メッセージに対する応答を生成するため、ステップ（ｄ）において受信された前記信号化メッセージを解釈するステップとが、サーバにおいて実現される。
【００１２】
本発明の好適な特徴によると、前記メッセージが送信される信号化メッセージと前記呼に応答してステップ（ｄ）において受信される信号化メッセージとは、前記電話ネットワークにより使用される信号化プロトコルに従って規定される。
【００１３】
効果的には、前記メッセージが送信される信号化方法は、前記サーバから前記受信機への電話呼設定に対応する。
【００１４】
本発明の他の特徴によると、前記受信される信号化メッセージは、前記呼の受け入れ、前記呼の拒絶、前記呼の転送及び未応答のセットに属する。
【００１５】
効果的には、前記メッセージが送信される信号化メッセージはまた、前記第２ユーザによる質問に適用する類型の応答を有する。
【００１６】
本発明の他の特徴によると、少なくとも２つの電話受信機がステップ（ｂ）において特定されると、ステップ（ｅ）において解釈される応答は、前記サーバのウェブページに提示することによって、ＳＭＳ（Ｓｈｏｒｔ  Ｍｅｓｓａｇｅ  Ｓｅｒｖｉｃｅ）メッセージによる送信によって、電子メッセージによる送信によって、又は音声メッセージによる送信によって、前記端末のユーザに送信されるレポートに合成される。
【００１７】
効果的には、少なくとも２つの電話受信機がステップ（ｂ）において特定されると、ステップ（ｃ）において送信される呼は同時に送信される。
【００１８】
効果的には、前記ネットワーク１００は、ＩＰタイプのものである。
【図面の簡単な説明】
【００１９】
本発明は、本発明の実施例による詳細な説明を参照することによってより良好に理解されるであろう。この説明は、単なる一例として提供され、添付の図面を参照する。
【図１】図１は、本発明を実現するのに用いられる要素を図示する。
【図２】図２は、本発明の実施例のステップを示す。
【図３】図３は、本発明によるメッセージ送信要求の送信機に提示可能な画面の一例を示す。
【図４】図４は、このようなメッセージの受信者のユーザ装置上に提示可能な画面例を示す。
【発明を実施するための形態】
【００２０】
図１では、インターネットネットワークなどのＩＰ（Ｉｎｔｅｒｎｅｔ  Ｐｒｏｔｏｃｏｌ）ネットワーク１００が示される。ネットワーク１００に接続される２つの端末１０１，１０２が示される。それは特に、ＰＤＡ（Ｐｏｒｔａｂｌｅ  Ｄｉｇｉｔａｌ  Ａｓｓｉｓｔａｎｔ）の名称又は頭字語により知られている装置、ネットワーク１００に接続する手段を有するスマートフォンや携帯メディアプレーヤー装置など、ネットワーク１００に接続可能な固定又は携帯コンピュータ、移動装置に関するものであってもよい。これらの端末１０１，１０２には、メッセージを他のユーザに送信することを所望するユーザが当該メッセージを入力し、又は所定のメッセージか選択することを可能にするユーザインタフェース（キーボード、マウス、スタイラスなど）が設けられる。
【００２１】
サーバ１０３はまた、ネットワークＩＰ１００に接続される。当該サーバは、図１の実施例において、サーバのウェブページに接続するユーザが電話受信機にメッセージを送信することを可能にするアプリケーションを運営する。
【００２２】
当該アプリケーションは、電話ネットワーク１０４を介し電話受信機１０５，１０６に対する電話呼を生成することが可能である。図１には、２つの電話受信機しか示されていないが、アプリケーションは、より多くの電話受信機に対する呼を生成することができる。電話ネットワーク１０４は、ＳＳ７（Ｓｉｇｎａｌｉｎｇ  Ｓｙｓｔｅｍ  ＃７）又はＩＳＤＮ  Ｑ．９３１などの伝送プロトコルを利用する。それはＩＰネットワーク１００とは別に示されているが、当該電話ネットワーク１０４は、信号化のプロトコルと、ネットワーク１００などのＩＰネットワークを介し物理的に経由する電話呼の伝送とを利用することが可能である。
【００２３】
電話受信機１０５，１０６は、例えば、標準的なＤＥＣＴ（Ｄｉｇｉｔａｌ  Ｅｎｈａｎｃｅｄ  Ｃｏｒｄｌｅｓｓ  Ｔｅｌｅｐｈｏｎｅ）による電話、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＣＤＭＡ（Ｃｏｄｅ  Ｄｉｖｉｓｉｏｎ  Ｍｕｌｔｉｐｌｅ  Ａｃｃｅｓｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＥＤＧＥ（Ｅｎｈａｎｃｅｄ  Ｄａｔａ  Ｒａｔｅｓ  ｆｏｒ  Ｇｌｏｂａｌ  Ｅｖｏｌｕｔｉｏｎ）などの規格の１つによる携帯電話などである。電話受信機１０５，１０６はまた、固定又は有線電話とすることも可能である。メッセージ送信アプリケーションから受信したテキストメッセージを表示可能とするため、各電話受信機は、好ましくは、図４に例示される装置に配置されるディスプレイスクリーンを有する。
【００２４】
図２は、端末から電話受信機へのメッセージの送信と、これらの電話受信機から受信された応答の収集の処理を説明する。
【００２５】
ステップ２０１において、端末１のユーザは、サーバ１０３においてメッセージ送信アプリケーションに接続する。これは、端末スクリーン１に表示される図３に示されるようなウェブページの形態により提示する。
【００２６】
図３は、当該アプリケーションの可能性のある一例となる提示例である。また、ユーザは所定の複数の質問タイプの間の選択を行うか、又はユーザが特定のフィールドを記入可能な質問タイプが利用可能であることが想定可能である。例えば、記録される質問タイプは、“ＭＥＥＴＩＮＧ  ＡＴ＿＿＿＿ＬＯＣＡＴＩＯＮ：＿＿＿＿＞＞などである。
【００２７】
このとき、ユーザは、自分の会議の時間と場所とを指定可能である。
【００２８】
図３の例では、ユーザは、ページのフィールド３０１において、自らのテキストメッセージ“ＭＥＥＴＩＮＧ  ＩＮ  ５  ＭＩＮＵＴＥＳ  ＩＮ  ＭＹ  ＯＦＦＩＣＥを入力する。
【００２９】
自分のメッセージを入力した後、ユーザは、自らのメッセージの受信者を選択する。図３の例では、アプリケーションは端末１に格納されているコンタクトのリスト３０２を復元し、ユーザが自らのメッセージの受信者を単に選択することを可能にすると仮定される（コンテクトの電話番号がコンタクトのリストに格納される）。
【００３０】
また、ユーザが自らのメッセージの受信者の電話番号を直接入力するように、フィールドをエンプティにしておくことが想定可能である。図３において、ユーザが自らのコンタクトの２人であるＴｈｏｍａｓとＰａｓｃａｌにメッセージを送信することを決定するケースが示される（彼らの名前に対向するボックスがチェックされている）。
【００３１】
図２に戻って、サーバ１０３のアプリケーションは、その後にステップ１０２において、入力されたデータが適合していることを確認する。実際、テキストメッセージが信号化メッセージにより送信されるとき、当該メッセージのフォーマットはフリーではなく、電話ネットワーク上で利用される伝送プロトコルの制約に従っている必要がある。この確認が実行されると、アプリケーションは、例えば、発信側ユーザの名前を送信するのに用いられるフィールドなど、信号化メッセージにおいてユーザにより選択されるテキストメッセージ（Ｍとして示される）を含む呼の送信を準備する。
【００３２】
選択されたユーザ（本例ではＴｈｏｍａｓとＰａｓｃａｌ）への異なる呼が、ステップ２０３において、同時に又はほぼ同時に送信される。送信されるテキストメッセージＭは、ステップ２０４において電話受信機Ａ（Ｔｈｏｍａｓのものなど）に即座に表示され、ステップ２０５において電話受信機Ｂ（Ｐａｓｃａｌのものなど）に即座に表示される。ステップ２０４，２０５は、擬似的に同時に生成可能である。
【００３３】
メッセージは、例えば、受信者の電話装置４００を示す図４に示されるように表示される。画面４０１上でにおいて、端末１のユーザにより入力されるメッセージ“ＭＥＥＴＩＮＧ  ＩＮ  ５  ＭＩＮＵＴＥＳ  ＩＮ  ＭＹ  ＯＦＦＩＣＥ”が表示される。
【００３４】
ステップ２０６において、電話受信機Ａのユーザ（Ｔｈｏｍａｓ）は、当該呼を受け付ける。これを実行するため、ユーザは、例えば、装置のキー４０２を押下する。これは、送信されたテキストメッセージに対する肯定的な応答としてアプリケーションにより解釈されるサーバ１０３に対する信号化メッセージを生成する。
【００３５】
しかしながら、電話受信機Ｂのユーザ（Ｐａｓｃａｌ）は、ステップ２０７において、当該呼を拒絶する（自らの装置に固有のキー又はキーの組み合わせを押下することによって）。この呼拒絶を示す信号化メッセージが生成され、サーバ１０３に送信される。この拒絶は、送信されたテキストメッセージに対する否定的な応答としてアプリケーションによって解釈される。
【００３６】
ユーザのアクション又はアクションの欠落は、所定の期間後に判断される。例えば、この所定の期間は、装置の呼出に対応する期間である呼設定試行期間に対応する。従って、所定の類型に属するユーザのアクションが、メッセージが装置のスクリーン上に表示され、呼出が継続している間に実行されるとすぐに、当該アクションに対応するメッセージＭにより搬送される質問に対する応答がサーバ１０３に再送される。他方、装置の呼出が終わった後にユーザにより実行される何れのアクションも考慮されない。
【００３７】
メッセージＭが形式的には質問を有しないが、例えば、“ＭＥＥＴＩＮＧ  ＩＮ  ＲＯＯＭ  １０”などの単なる情報を含む場合、呼の受け入れ動作などの所定の期間中のユーザアクションは、メッセージの受信のアクノリッジメントとして解釈される。他方、“未応答”又は応答なしは、受信者がメッセージを読んでいないことを示す。
【００３８】
ステップ２０８において、サーバ１０３は、テキストメッセージの２人の受信者の電話受信機から受信される応答（ここでは、呼の受け入れ又は拒絶）に従ってレポートを生成する。このレポートは、例えば、以下のようなものとすることができる。
【００３９】
Ｔｈｏｍａｓ：受け入れ
Ｐａｓｃａｌ：拒絶
その後ステップ２０９において、このレポートは、当該レポートを含む新たなウェブページを表示することによって、ＳＭＳ（Ｓｈｏｒｔ  Ｍｅｓｓａｇｅ  Ｓｅｒｖｉｃｅ）メッセージの送信によって、電子メールにおいて又は音声メッセージなどにより、端末１のユーザに利用可能とされる。
【００４０】
ステップ２０３〜２０９がメッセージＭと受信者の応答との送信のための同期的な電話ネットワークに利用のため、ユーザにほぼ同時に表示されるとき、メッセージＭを異なる受信者に送信したユーザは、すべての受信者からの応答をほぼ同時に有することになる。
【００４１】
本発明の異なるアプリケーションが想定可能である。上述されたものと同様に、第１アプリケーションは、会議のリマインダのためのツールとしてのものであり、呼において送信されるメッセージＭは、“あなたは会議Ｘに出席しているか？”などとすることが可能である。このメッセージを受信するユーザが会議に出席している場合、ユーザは呼を受け入れ（ピックアップする）、又はこれを有効にするため肯定的な応答として解釈される所定のキーを押下する。ユーザが出席していない場合、ユーザはこれを有効にするため他の所定のキーを押下するか、又は当該呼を拒絶し、これは否定的な応答として解釈される。メッセージＭを含む呼の受信者ユーザからの応答がない場合、この未応答はまた、それのレポートを生成する際にアプリケーションにより解釈される。それは、例えば、ユーザ名に対向して“未応答”と示される。
【００４２】
本発明はまた、質問と予想される応答とがシンプルであり、質問の受信者が応答の方法を知っていると確信できるときの調査に利用可能である。すなわち、彼らのアクション（拒絶、呼行け入れなど）はそれらがメッセージを受信したときに、又は応答の類型がメッセージに搬送され、表示されると解釈される。
【００４３】
本発明は、特に受信した質問又はメッセージに対する応答の“コード”の重要性をすべての人が知っているユーザのコミュニティ（オフィスの同僚、友人グループ、家族など）に適用される。
【図１】
2012530310.tif 000003
【図２】
2012530310.tif 000004
【図３】
2012530310.tif 000005
【図４】
2012530310.tif 000006
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
端末の第１ユーザによって少なくとも１つの電話受信機の第２ユーザに少なくとも送信された質問に対する少なくとも１つの応答を収集する方法であって、
サーバはネットワークを介し前記端末に接続され、前記サーバは電話ネットワークを介し前記少なくとも１つの電話受信機に接続され、前記質問は電話呼の形式により前記少なくとも１つの電話受信機に到達するテキストメッセージのテキストによって形成され、
当該方法は、前記サーバにおいて実現される、
（ａ）前記端末のユーザによる前記メッセージのテキストの入力又は選択を受信するステップと、
（ｂ）前記テキストメッセージを受信する少なくとも１つの電話受信機の入力又は選択を受信するステップと、
（ｃ）前記少なくとも１つの電話受信機上の前記テキストメッセージの表示のためステップ（ｂ）において特定された前記少なくとも１つの電話受信機のそれぞれに少なくとも１つの電話呼それぞれの第１信号化メッセージのフィールドにおいて送信される前記テキストメッセージを含む前記少なくとも１つの電話呼を送信するステップと、
（ｄ）ステップ（ｃ）において送信される前記少なくとも１つの電話呼に応答して、前記少なくとも１つの電話受信機から少なくとも１つの第２信号化メッセージを受信するステップと、
（ｅ）前記端末の第１ユーザに提示される前記テキストメッセージに対する少なくとも１つの応答を有するレポートを生成するため、ステップ（ｄ）において受信された前記少なくとも１つの第２信号化メッセージを解釈するステップと、
を有する方法。
【請求項２】
前記第１及び少なくとも１つの第２信号化メッセージは、前記電話ネットワークにより使用される信号化プロトコルに従って規定される、請求項１乃至３何れか一項記載の方法。
【請求項３】
前記第１信号化メッセージは、前記サーバから前記少なくとも１つの電話受信機への電話呼設定に対応する、請求項２記載の方法。
【請求項４】
前記第１信号化メッセージはまた、前記第２ユーザによる質問に適用する類型の応答を有する、請求項１乃至３何れか一項記載の方法。
【請求項５】
前記少なくとも１つの第２信号化メッセージは、前記少なくとも１つの電話呼の受け入れ、前記少なくとも１つの電話呼の拒絶、前記少なくとも１つの電話呼の転送及び前記少なくとも１つの電話呼に対する未応答のセットに属する、請求項１乃至４何れか一項記載の方法。
【請求項６】
少なくとも２つの電話受信機がステップ（ｂ）において特定されると、ステップ（ｅ）において解釈される応答は、前記サーバのウェブページに提示することによって、ＳＭＳ（Ｓｈｏｒｔ  Ｍｅｓｓａｇｅ  Ｓｅｒｖｉｃｅ）メッセージによる送信によって、電子メールメッセージによる送信によって、又は音声メッセージによる送信によって、前記レポートに合成される、請求項１乃至５何れか一項記載の方法。
【請求項７】
少なくとも２つの電話受信機がステップ（ｂ）において特定されると、ステップ（ｃ）において送信される前記少なくとも２つの電話呼は同時に送信される、請求項１乃至６何れか一項記載の方法。
【請求項８】
前記ネットワークは、インターネットプロトコル（ＩＰ）タイプのものである、請求項１乃至７何れか一項記載の方法。
【国際調査報告】
2012530310.tif 000007
2012530310.tif 000008
2012530310.tif 000009